(57)【要約】【課題】少しでも大きな開口が得られるようにする。【解決手段】建物開口２の内周に沿って設置されている旧サッシ枠３を残した状態で、旧サッシ枠３の開口内側に、リフォーム用新サッシ枠１を設置するサッシリフォーム方法において、新サッシ枠１を、開口の両側縁に位置させる一対の縦枠部材１Ａ，１Ｂと、開口の上縁に位置させる上枠部材１Ｃと、開口の下縁に位置させる下枠部材１Ｄとで構成し、各枠部材の内、先に配置した先枠部材ｅに対して後から端面部を突き合わせる後枠部材ｆについて、先枠部材ｅの開口内側周面に備えた突条部６を飲み込む切欠き部Ｋを、予め後枠部材ｆの端部に形成しておき、先枠部材ｅを旧サッシ枠３の内側の所定の位置に設置した後、突条部６に切欠き部Ｋが嵌る状態に後枠部材ｆを配置すると共に、突条部６に沿わせてスライドして所定の位置に設置する。【選択図】図６
2008291558.tif 000002
【特許請求の範囲】
【請求項１】
建物開口の内周に沿って設置されている旧サッシ枠を残した状態で、前記旧サッシ枠の開口内側に、リフォーム用新サッシ枠を設置するサッシリフォーム方法であって、
前記新サッシ枠を、前記開口の両側縁に位置させる一対の縦枠部材と、前記開口の上縁に位置させる上枠部材と、前記開口の下縁に位置させる下枠部材とで構成し、
前記各枠部材の内、先に配置した先枠部材に対して後から端面部を突き合わせる後枠部材について、前記先枠部材の前記開口内側周面に備えた突条部を飲み込む切欠き部を、予め前記後枠部材の端部に形成しておき、
前記先枠部材を旧サッシ枠の内側の所定の位置に設置した後、前記突条部に前記切欠き部が嵌る状態に前記後枠部材を配置すると共に、前記突条部に沿わせてスライドして所定の位置に設置するサッシリフォーム方法。
【請求項２】
前記旧サッシ枠の開口内側に、前記下枠部材を設置した後、下枠部材の両端部の上に、端面部が押し当たる状態に一対の前記縦枠部材をそれぞれ設置する請求項１に記載のサッシリフォーム方法。
【発明の詳細な説明】
【技術分野】
【０００１】
本発明は、建物開口の内周に沿って設置されている旧サッシ枠を残した状態で、前記旧サッシ枠の開口内側に、リフォーム用新サッシ枠を設置するサッシリフォーム方法に関する。
【背景技術】
【０００２】
従来、建物開口に設置するサッシ枠は、図８に示すように、上枠部材３Ｃと下枠部材３Ｄと左右の縦枠部材３Ａ，３Ｂとを矩形形状に組んで端部同士をサッシ枠の外周側からビス等を取り付けることで連結して形成されている。
また、各枠部材の開口内側周面には、例えば、戸車の目隠しやレールや風除けや雨じまい等の突条４が長手方向に沿ってそれぞれ設けられており、複雑な形状となっている。
そして、サッシ戸を新しいものにリフォームする際、戸の厚み寸法や間隔寸法が旧いものと異なっている場合、旧サッシ枠のレール間隔が新しいサッシ戸の戸車間隔に合わなかったり、風除けが新しいサッシ戸の端面に突き当たる等の障害が発生し、旧サッシ枠に新しいサッシ戸が嵌らないことがある。従って、こんな場合は、サッシ枠に関しても、新しいサッシ戸に合った寸法のものが必要となり、必然的に、サッシ枠も新しいものに付け替えざるを得ない。しかし、サッシ枠はその外周部を壁コンクリート等に頑丈に埋め込まれていることが多く、取り替えるには、外周のコンクリートを斫る作業が必要で、手間と時間と費用が掛かると共に、作業に伴って騒音が発生するので、この方法は採用され難い。
よって、最近では、旧サッシ枠を残した状態で、その内側にリフォーム用新サッシ枠を設置するのが一般的となってきている。
従来のサッシリフォームにおいては、矩形形状に組まれた新サッシ枠１０を用意し、その新サッシ枠１０を、図８に示すように、旧サッシ枠３の内側に開口奥行き方向にスライドさせて嵌め込み、固定する方法をとっていた（例えば、特許文献１参照）。
【０００３】
【特許文献１】特開２００５−２８２０４２号公報（図３）
【発明の開示】
【発明が解決しようとする課題】
【０００４】
上述した従来のサッシリフォーム方法によれば、新サッシ枠を旧サッシ枠の内側に設置する際に、一体の新サッシ枠を開口奥行き方向にスライドさせて設置するから、旧サッシ枠の内周面に突出する前記突条と新サッシ枠の外周部が干渉しないようにするために、嵌め込みによって内外に重なる両サッシ枠部分において、新サッシ枠の最大外径寸法を、旧サッシ枠の最小内径寸法以下に形成しておく必要があった。
その結果、リフォーム後の開口には、旧サッシ枠の内側に新サッシ枠の厚み寸法分がすべて露出することになり、開口の狭小化により圧迫感が増大した納まりになってしまう問題があった。
【０００５】
従って、本発明の目的は、上記問題点を解消し、少しでも大きな開口が得られるサッシリフォーム方法を提供するところにある。
【課題を解決するための手段】
【０００６】
本発明の第１の特徴構成は、建物開口の内周に沿って設置されている旧サッシ枠を残した状態で、前記旧サッシ枠の開口内側に、リフォーム用新サッシ枠を設置するサッシリフォーム方法において、前記新サッシ枠を、前記開口の両側縁に位置させる一対の縦枠部材と、前記開口の上縁に位置させる上枠部材と、前記開口の下縁に位置させる下枠部材とで構成し、前記各枠部材の内、先に配置した先枠部材に対して後から端面部を突き合わせる後枠部材について、前記先枠部材の前記開口内側周面に備えた突条部を飲み込む切欠き部を、予め前記後枠部材の端部に形成しておき、前記先枠部材を旧サッシ枠の内側の所定の位置に設置した後、前記突条部に前記切欠き部が嵌る状態に前記後枠部材を配置すると共に、前記突条部に沿わせてスライドして所定の位置に設置するところにある。
【０００７】
本発明の第１の特徴構成によれば、前記新サッシ枠を、一対の縦枠部材と、上枠部材と、下枠部材とで構成し、前記各枠部材の内、先に配置した先枠部材に対して後から端面部を突き合わせる後枠部材について、前記先枠部材の前記開口内側周面に備えた突条部を飲み込む切欠き部を、予め前記後枠部材の端部に形成しておき、前記先枠部材を旧サッシ枠の内側の所定の位置に設置した後、前記突条部に前記切欠き部が嵌る状態に前記後枠部材を配置すると共に、前記突条部に沿わせてスライドして所定の位置に設置するから、各枠部材を旧サッシ枠の内空部に配置して組み立てることで新サッシ枠を形成する「後組方式」がサッシ組立においてでも可能となる。
従って、従来のように、旧サッシ枠の内周に突出している突条部が、各枠部材を設置する際に障害となり難く、且つ、新サッシ枠の一部を、旧サッシ枠の突条部間の凹部内に嵌り込ませる事も可能となる。その結果、サッシ枠の正面視において、旧サッシ枠と新サッシ枠とが一部でラップする状態に新サッシ枠を設置することが可能となり、新サッシ枠の開口を、すこしでも広く確保する事が可能となる。そして、旧サッシ枠と新サッシ枠とが嵌合すれば、両者の一体性が向上し、より強度の高いリフォームサッシを構成することが可能となる。
また、新サッシ枠の内周部にも複数の突条部は備えられているが、後枠部材に前記切欠き部を形成しておくことによって、前記先枠部材に対して後枠部材を隣接配置する際に、前記突条部が障害となる事を防止でき、スムースに各枠部材どうしを所定の位置に配置することが可能となる。その結果、新サッシ枠の設置作業の効率向上を図ることが可能となる。
【０００８】
本発明の第２の特徴構成は、前記旧サッシ枠の開口内側に、前記下枠部材を設置した後、下枠部材の両端部の上に、端面部が押し当たる状態に一対の前記縦枠部材をそれぞれ設置するところにある。
【０００９】
本発明の第２の特徴構成によれば、本発明の第１の特徴構成による上述の作用効果を叶えることができるのに加えて、隣接する各枠部材間には、水密性を向上させるためにシール等を施工するのが一般的であるが、前記下枠部材を設置した後、下枠部材の両端部の上に、端面部が押し当たる状態に一対の前記縦枠部材をそれぞれ設置することで、縦枠部材の重量は、常に下枠部材の両端部に作用し、下枠部材と縦枠部材との間に設置されたシールを緩ませることなく、長期に亘ってその部分の水密効果を維持することが可能となる。因みに、下枠部材と縦枠部材との接点部分は、他の接点に比べて雨水や水かかり等によって水に触れることが多いから、該当部分の水密性の維持は、サッシ枠全体とした水密効果の維持に直接的に繋がっている。
一方、シールの施工性の面からは、下枠部材の両端部上にシール材を配置して、その上に縦枠部材を立設するだけの手間で、高い水密性が得られるから、シール施工の効率アップを図ることも可能である。
【発明を実施するための最良の形態】
【００１０】
以下に本発明の実施の形態を図面に基づいて説明する。尚、図面において従来例と同一の符号で表示した部分は、同一又は相当の部分を示している。
【００１１】
図１、図２は、本発明のサッシリフォーム方法によって新サッシ枠１を設置した状況を示している。
前記新サッシ枠１は、建物開口２の内周に沿って設置されている旧サッシ枠３を残した状態で、その旧サッシ枠３の開口内側に設置されている。
【００１２】
前記建物Ｂは、本実施形態においては、マンション等の集合住宅を例に挙げており、例えば、通常の窓や掃き出し窓のような建物開口２に、モルタル等で固着されている前記旧サッシ枠３のリフォームについて以下に説明する。
【００１３】
前記旧サッシ枠３は、図３に示すように、建物開口２の両側縁に位置する一対の縦枠部材３Ａ，３Ｂと、前記建物開口２の上縁に位置する上枠部材３Ｃと、前記建物開口２の下縁に位置する下枠部材３Ｄとが額縁状に一体化された状態で建物に固着されている。
尚、リフォーム前の状態では、それぞれの枠部材３Ａ，３Ｂ，３Ｃ，３Ｄの開口内側周面に、例えば、戸車の目隠し、レール、風除け、雨じまい等の突条４が長手方向に沿って設けられていたが、リフォームに先立って、一部の突条は取り除かれており、両縦枠部材３Ａ，３Ｂ、上枠部材３Ｃに関しては、建物開口２の奥行き方向での両端側縁部にのみ、突条４が残されている。また、下枠部材３Ｄに関しては、レールのみ取り除かれている。
従って、両縦枠部材３Ａ，３Ｂ、上枠部材３Ｃの開口内側周面には、建物開口２の奥行き方向での両側縁部に残っている両突条４に挟まれた凹溝Ｄが形成されている。
そして、この凹溝Ｄ内に、前記新サッシ枠１が嵌り込む状態に設置されている。
【００１４】
前記新サッシ枠１は、図１、図２に示すように、旧サッシ枠３の一対の前記縦枠部材３Ａ，３Ｂの開口内側に沿わせて位置させる一対の縦枠部材１Ａ，１Ｂと、前記上枠部材３Ｃの開口内側に沿わせて位置させる上枠部材１Ｃと、前記下枠部材３Ｄの開口内側に沿わせて位置させる下枠部材１Ｄとを備えて構成されている。
尚、両下枠部材１Ｄ，３Ｄの間には、ビス止め用長尺部材５を介在させてある（図１参照）。そして、前記縦枠部材１Ａ，１Ｂと上枠部材１Ｃとは、旧サッシ枠３に対して、直接的にビス固定してあるのに対して、下枠部材１Ｄは、前記長尺部材５を介して旧サッシ枠３に固定されている。具体的には、旧サッシ枠３の下枠部材３Ｄの底面部３Ｄａ上に前記長尺部材５は配置された状態で、下枠部材３Ｄの立ち上がり壁３Ｄｂ部分に対して横向きのビスで固定されている。また、長尺部材５の上に配置された新サッシ枠１の下枠部材１Ｄは、前記底面部３Ｄａに達しない短い縦向きのビスで、前記長尺部材５に対して固定されている。
前記下枠部材１Ｄ，３Ｄは、他の枠部材に比べて特に水が接触し易い部位に設置されているから、ビス穴を通した建物躯体側への漏水の危険性が高いが、上述の固定構造を採用していることによって、下枠部材３Ｄの底面部３Ｄａにビス穴を設ける必要が無くなり、漏水防止を図り易くなっている。
尚、前記長尺部材５は、ビス止め用の機能に加えて、下枠部材１Ｄに作用する荷重を受けて支持する機能をも備えている。
【００１５】
前記下枠部材１Ｄは、図４に示すように、底面部１Ｄａを、室内側から室外側にかけて下る階段状に形成してあり、そこには、長手方向に沿った一対のレール（突条部６の一例）６Ａが開口奥行き方向に間隔をあけてそれぞれ一体に形成されている。
また、下枠部材１Ｄは、その長さ寸法を、前記旧サッシ枠３の開口幅のほぼ全長にわたる寸法に設定してある。そして、両端部に関しては、前記縦枠部材１Ａ，１Ｂの下端部が載置状態に設置できるように前記レール６Ａの無い構造に構成されている。
【００１６】
前記縦枠部材１Ａ，１Ｂは、図５に示すように、溝形形状の断面に形成されており、溝底面部１Ａａ，１Ｂａには、新設のサッシ戸Ｓの縁部の表裏側に各別に位置する一対の風除け（突条部６の一例）６Ｂが開口奥行き方向に間隔をあけてそれぞれ一体に形成されている（図２参照）。
また、縦枠部材１Ａ，１Ｂは、その長さ寸法を、前記旧サッシ枠３の開口高さから前記下枠部材１Ｄの高さ寸法を差し引いた寸法に設定してある。そして、下端部に関しては、前記下枠部材１Ｄの階段状の形状に沿う形状に端面加工してある。そして、旧サッシ枠３の内側へ設置する際には、下枠部材１Ｄの端部の底面部１Ｄａ上に合わせ目止水用のシールゴムＧを設けた状態で、その上に縦枠部材１Ａ，１Ｂの下端面が押し当たる状態に設置することで、両者の合わせ目部分の止水性を向上させることができる。
【００１７】
前記上枠部材１Ｃは、図６に示すように、溝形形状の断面に形成されており、溝底面部１Ｃａには、長手方向に沿った一対のレール（突条部６の一例）６Ａが開口奥行き方向に間隔をあけてそれぞれ一体に形成されている。
また、上枠部材１Ｃは、その長さ寸法を、前記旧サッシ枠３の開口幅から前記縦枠部材１Ａ，１Ｂ１Ｄそれぞれの幅寸法を差し引いた寸法に設定してある。そして、両端部には、風除け６Ｂを飲み込む切欠き部Ｋが、各別に形成してある。
【００１８】
次に、当該サッシリフォーム方法の一実施形態について順を追って説明する。
［１］旧サッシ枠３から旧サッシ戸を外すと共に、新サッシ枠１の設置に当たって干渉する虞のある部分の突条４を取り除く。
［２］旧サッシ枠３の下枠部材３Ｄ上に前記長尺部材５を配置して横向きのビスで固定する（図３参照）。
［３］新サッシ枠１の下枠部材１Ｄを長尺部材５上に載置して縦向きのビスで固着する（図４参照）。
［４］下枠部材１Ｄの両端部上にシールゴムＧを設けた状態で、縦枠部材１Ａ，１Ｂの下端部を載置すると共に、旧サッシ枠３の縦枠部材３Ａ，３Ｂに沿わせて立設し、ビスで固定する（図５参照）。
［５］上枠部材１Ｃを、縦枠部材１Ａ，１Ｂの風除け６Ｂに前記切欠き部Ｋが嵌る状態に配置すると共に、前記風除け６Ｂに沿わせて上方へスライドさせ、旧サッシ枠３の上枠部材３Ｃに沿わせてビスで固定する（図６参照）。当該実施形態においては、縦枠部材１Ａ，１Ｂは、上枠部材１Ｃより先に配置するので、便宜上、先枠部材ｅといい、上枠部材１Ｃを、後枠部材ｆという。
以上の手順によって新サッシ枠１を設置する事ができ、上下のレールにわたって新しいサッシ戸Ｓを嵌め付けることでリフォームが完成する。
【００１９】
当該サッシリフォーム方法によれば、断面が複雑な構造である各枠部材で構成されているサッシ枠ではあるものの、所謂「後組方式」を取り入れることができ、サッシ枠の正面視において、旧サッシ枠３の凹溝Ｄ内に新サッシ枠１の一部が嵌り込んだ状態に組み付けることが可能となり、新サッシ枠の開口を、すこしでも広く確保する事が可能となる。
また、防水上の弱点となり易い下枠部材周りにおいて、長期に亘ってその部分の水密効果を維持することが可能となる。
【００２０】
〔別実施形態〕
以下に他の実施の形態を説明する。
【００２１】
〈１〉  新サッシ枠１の各枠部材に関して、寸法設定、突合せ部構造、組立順序、及び、切欠き部Ｋの設置箇所等は、先の実施形態で説明したものに限るものではなく、例えば、図７（イ）〜（ハ）に示すような実施形態を採用する事も可能である。
図７（イ）は、長さ寸法を、下枠部材１Ｄと上枠部材１Ｃとに関しては、前記旧サッシ枠３の開口幅のほぼ全長にわたる寸法に設定してあると共に、両縦枠部材１Ａ，１Ｂに関しては、前記旧サッシ枠３の開口高さから前記下枠部材１Ｄと上枠部材１Ｃとの高さ寸法分を差し引いた寸法に設定してある。そして、下枠部材１Ｄと上枠部材１Ｃとは、前記先枠部材ｅに相当し、両縦枠部材１Ａ，１Ｂは、前記後枠部材ｆに相当する。従って、両縦枠部材１Ａ，１Ｂの上下の端部には、前記切欠き部Ｋが設けられている。
図７（ロ）は、長さ寸法を、両縦枠部材１Ａ，１Ｂに関しては、前記旧サッシ枠３の開口高さのほぼ全長にわたる寸法に設定してあると共に、下枠部材１Ｄと上枠部材１Ｃとに関しては、前記旧サッシ枠３の開口幅から前記両縦枠部材１Ａ，１Ｂの幅寸法分を差し引いた寸法に設定してある。そして、下枠部材１Ｄを設置した後、両縦枠部材１Ａ，１Ｂを立設し、その後、上枠部材１Ｃを組み上げる方法が挙げられ、この場合は、両縦枠部材１Ａ，１Ｂが前記先枠部材ｅに相当し、上枠部材１Ｃは、前記後枠部材ｆに相当する。従って、上枠部材１Ｃの左右両端部には、前記切欠き部Ｋが設けられている。
図７（ハ）は、長さ寸法を、上枠部材１Ｃに関しては、前記旧サッシ枠３の開口幅のほぼ全長にわたる寸法に設定してあると共に、両縦枠部材１Ａ，１Ｂに関しては、前記旧サッシ枠３の開口高さから前記上枠部材１Ｃの高さ寸法分を差し引いた寸法に設定してあり、下枠部材１Ｄに関しては、前記旧サッシ枠３の開口幅から前記両縦枠部材１Ａ，１Ｂの幅寸法分を差し引いた寸法に設定してある。そして、下枠部材１Ｄと上枠部材１Ｃとを設置した後、両縦枠部材１Ａ，１Ｂを立設する方法が挙げられ、この場合は、上枠部材１Ｃが前記先枠部材ｅに相当し、両縦枠部材１Ａ，１Ｂは、前記後枠部材ｆに相当する。従って、両縦枠部材１Ａ，１Ｂの上端部には、前記切欠き部Ｋが設けられている。
〈２〉  両縦枠部材１Ａ，１Ｂと上枠部材１Ｃとの取り合い部分は、前記切欠き部Ｋを通したすきま風等を防止するのに、例えば、旧サッシ枠３の該当部や、縦枠部材や上枠部材の該当部に、予め、シールゴムを取り付けておいて、そのシールゴムで密閉を図るようにサッシを組み立てることも可能である。
【００２２】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２３】
【図１】サッシリフォーム状況を示す側面視断面図
【図２】サッシリフォーム状況を示す上面視断面図
【図３】サッシリフォーム状況を示す分解斜視図
【図４】サッシリフォーム状況を示す分解斜視図
【図５】サッシリフォーム状況を示す分解斜視図
【図６】サッシリフォーム状況を示す分解斜視図
【図７】別実施形態のサッシリフォーム方法を示す正面図
【図８】従来のサッシリフォーム状況を示す斜視図
【符号の説明】
【００２４】
１      新サッシ枠
１Ａ    縦枠部材
１Ｂ    縦枠部材
１Ｃ    上枠部材
１Ｄ    下枠部材
２      建物開口
３      旧サッシ枠
６      突条部
ｅ      先枠部材
ｆ      後枠部材
Ｋ      切欠き部
【図１】
2008291558.tif 000003
【図２】
2008291558.tif 000004
【図３】
2008291558.tif 000005
【図４】
2008291558.tif 000006
【図５】
2008291558.tif 000007
【図６】
2008291558.tif 000008
【図７】
2008291558.tif 000009
【図８】
2008291558.tif 000010